(57)【要約】【課題】  キャップをねじキャップとして、中栓の隔壁の切断を容易にするとともに、中栓下端部に音出し機構を設け、隔壁の切断時に、音を発生させるようにした液注出容器キャップを提供すること。【課題を解決するための手段】  容器の口筒部に被嵌された中栓と、中栓の外筒に螺着されたキャップとを具えた液注出容器であって、中栓は、下端を隔壁で封鎖し、下端下面に固定板を設けた内筒と、外周にねじを螺設し、下端にフランジと位置決めリブを設けた外筒とを具備し、キャップは、キャップ本体と上蓋とからなり、キャップ本体は、中栓の外筒に螺合され、下端部内周に中栓の位置決めリブに係合する位置決めリブを設けた側周壁と、中央部に注出孔を形成し、その外側の下面に内筒隔壁の開封手段を垂設した上壁とを具備していることを特徴とする。【選択図】  図１
2008162668.tif 000002
【特許請求の範囲】
【請求項１】
容器の口筒部に被嵌された中栓と、中栓の外筒に螺着されたキャップとを具えた液注出容器であって、
中栓は、下端を隔壁で封鎖し、下端下面に固定板を設けた内筒と、外周にねじを螺設し、下端にフランジと位置決めリブを設けた外筒とを具備し、
キャップは、キャップ本体と上蓋とからなり、
キャップ本体は、中栓の外筒に螺合され、下端部内周に中栓の位置決めリブに係合する位置決めリブを設けた側周壁と、中央部に注出孔を形成し、その外側の下面に内筒隔壁の開封手段を垂設した上壁とを具備していることを特徴とする注出容器の密閉キャップ。
【発明の詳細な説明】
【技術分野】
【０００１】
本発明は、密閉キャップ、とくに中栓により容器内部を密封した密閉キャップに関するものである。
【背景技術】
【０００２】
容器の口部に、遮蔽板を設けた中栓を被嵌し、中栓の上に、遮蔽板に係合するガイド筒を設けた外キャップを被嵌し、中栓の下端に連設した環状帯部を切り離し、外装キャップを押下げて、遮蔽板に切り込みを入れるとともに、容器の口部外周に被嵌するようにした密閉式キャップは、従来より知られている（例えば、特許文献１参照）。
【特許文献１】特許第３０２４０８９号公報
【発明の開示】
【発明が解決しようとする課題】
【０００３】
しかしながら、上記特許文献１記載の密閉式容器では、外装キャップは、その下端の内周に環状突部（１０ｄ）を設け、押下げ時に、ボトルの環状突部（５）の下側に係合するようにしており、外装キャップの押下げに一定の力が必要となり、押下げ操作が軽快でないという問題があった。
【０００４】
また、双方の環状突部の嵌合が甘いときには、押下げの最下降位置で、外装キャップの環状突部（１０ｄ）が、ボトルの環状突部（５）を乗り越えたときのクリック感が注意しないとわからないという問題があった。
さらに、最下降位置であることを知るためには、双方の環状突部の係合状態をよく調べなくてはならないという問題があった。
【０００５】
本発明は、上記の問題点を解決することを課題とし、キャップをねじキャップとして、中栓の隔壁の切断を容易にするとともに、中栓下端部に音出し機構を設け、隔壁の切断時に、音を発生させるようにした液注出容器キャップを提供することを目的とする。
【課題を解決するための手段】
【０００６】
本発明は、上記の課題を解決するため、注出容器の密閉キャップとして、容器の口筒部に被嵌された中栓と、中栓の外筒に螺着されたキャップとを具えた液注出容器であって、中栓は、下端を隔壁で封鎖し、下端下面に固定板を設けた内筒と、外周にねじを螺設し、下端にフランジと位置決めリブを設けた外筒とを具備し、キャップは、キャップ本体と上蓋とからなり、キャップ本体は、中栓の外筒に螺合され、下端部内周に中栓の位置決めリブに係合する位置決めリブを設けた側周壁と、中央部に注出孔を形成し、その外側の下面に内筒隔壁の開封手段を垂設した上壁とを具備していることを特徴とする構成を採用する。
【発明の効果】
【０００７】
容器の口筒部に被嵌する中栓に隔壁を設け、キャップ本体を中栓の外筒に螺合させ、キャップ本体の上壁下面に切断リングを垂設させているので、キャップを廻動することによって容易に中栓の隔壁を切離することができるようになった。
また、中栓外筒の下端に、位置決めリブを設け、キャップ本体の側周壁下端部に位置決めリブを設けているので、キャップを一定の廻転角度で位置決めすることができる。
【０００８】
さらにまた、中栓の内筒下端下面に固定板を設けたので、キャップの開封手段が隔壁を切断したときに、切断された隔壁が固定板に係合し、音を発生させることができるようになった。
【発明を実施するための最良の形態】
【０００９】
次に、本発明の密閉キャップの実施例について、図面を参照して説明する。
図１において、Ａは容器、Ｂは中栓、Ｃはキャップ、Ｄはスペーサリングである。
【００１０】
図１、２に示すように、容器Ａは、口筒部１と肩部２、胴部３と底部とから構成されており、口筒部１の外周には係合突条４が設けられ、その下方にはネックリング５が設けられ、口筒部１外周とネックリング５の上面との間に位置決めリブ６が設けられている。
【００１１】
中栓Ｂは、内筒７と上壁８、および外筒９とから構成されており、内筒７の下端には、周縁を薄肉の連結部１０とした隔壁１１が連設されている。
内筒７の下端面には、先端１２が内方に傾斜する一対の固定板１３ａ、１３ｂが垂設されており、内筒７の外周には、容器Ａの口筒部１内周と一定の締め代をもって嵌合する膨出環１４が設けられ、容器Ａ内を密閉するようにしている。
【００１２】
外筒９は、上部筒部１５と、該上部筒部１５の下方に連設された下部筒部１６とから構成されている。
上部筒部１５の外周には、ねじ１７が螺設されており、内周には、容器Ａの口筒部１の係合突条４に係合する係合突条１８が設けられている。
【００１３】
下部筒部１６は、上部筒部１５下端の外周側から垂設され、その上端内側には、容器Ａの位置決めリブ６と係合する廻り止めリブ１９が設けられている。
下部筒部１６の下方外周には、一対、または単数の位置決めリブ２０が設けられており、下端には、フランジ２１が突設されている。
【００１４】
キャップＣは、キャップ本体Ｃ１と、該キャップ本体Ｃ１にヒンジ機構Ｃ２を介して取着された上蓋Ｃ３とからなっている。
キャップ本体Ｃ１は、側周壁２５と上壁２６とを具えており、側周壁２５は、その内周に中栓Ｂの外筒９外周のねじ１７に螺合するねじ２７が螺設され、下端部の内周は拡径され、中栓Ｂの外筒９の下部筒部１６に設けられた位置決めリブ２０に係合する位置決めリブ２８が設けられている。
【００１５】
上壁２６の中央部上面には、内容液を注出する注出孔３０が穿孔された注出筒３１が立設されており、その外側の下面には、先端を切込み刃３２とした切断リング３３が垂設されている。
切断リング３３の上部には、一定の締め代をもって中栓Ｂの内筒７内周に嵌合する膨出部３４が設けられている。
【００１６】
ヒンジ機構Ｃ２は、蝶番３５と、弾性板とからなる公知の三点ヒンジで、その一端は、キャップ本体Ｃ１の側周壁２５の上端に連結されている。
【００１７】
上蓋Ｃ３は、頂壁３７と側周壁３８とからなり、側周壁３８の所定の位置には、ヒンジ機構Ｃ２の他方の端部が連設されて、開閉自在とされている。
頂壁３７の中央には、キャップ本体Ｃ１の上壁２６に設けられた注出孔３０を閉鎖する栓体３９が垂設されている。
【００１８】
スペーサリングＤは、図１に示すように、中栓Ｂのフランジ２１上面に載置され、スペーサリングＤの上面には、キャップ本体Ｃ１の側周壁２５下端が当接されるようになっている。
スペーサリングＤは、実施例では、リング状としているが、Ｃ字形のスペーサ、上下に薄肉の切断ラインを設けたリングであってもよい。
【００１９】
次に、本発明のキャップの使用態様と作用効果について説明する。
本発明の注出容器は、容器Ａに内容物を収容して中栓Ｂを被嵌し、次いで、スペーサリングＤを中栓Ｂのフランジ２１に載置し、キャップＣを中栓Ｂに螺着することによって得られる。
【００２０】
内容物として、化粧料、食品、薬品などで、大気中の雑菌の混入を完全に防止しなければならないものが、殺菌充填されている。
【００２１】
注出容器の使用開始にあたって、本実施例では、まず、キャップＣを廻動させて中栓Ｂから取外し、次いで、スペーサリングＤを取外す。
次に、キャップＣを、再び中栓Ｂに螺合させ下降させると、図３に示すように、上壁２
６下面の切断リング３３の切込み刃３２が隔壁１１近くまで下降し、さらにキャップを廻動すると、切込み刃３２によって隔壁１１の連結部１０が切断され、隔壁１１が内筒７より切離される。
その際、切込み刃３２は、廻動しながら下降し、始めに、切込み刃３２の最下点３２ａが、所定の位置で連結部１０に当接し、次いで、最下点３２ａより廻動方向の刃で、連結部１０を切開いていくので、連結部１０の切断は容易となっている。
【００２２】
連結部１０の切断が進んでいくと、切断中の隔壁１１は、未切断の連結部１０を接続部として、固定板１３ｂに保持され、切断リング３３より下方に押し下げられ変形される。
【００２３】
さらに、切断が進むと、切断された隔壁１１の部分は大きくなり、切断が最終位置近くになると固定板１３ｂから外れる。
その際、隔壁１１の切断部分の変形は最大となり、固定板１３ｂからの外れと同時に反撥して音を発する。
そして、切断が最終位置になると、隔壁１１の切断部分は接続部を残して図４に示すように、下方に垂れ下がる。
その際には、固定板１３ｂは切断リング３３に押され外方に広げられる。
【００２４】
また、切断の最終位置では、キャップＣは最下降位置となるので、位置決めリブ２８は、中栓Ｂの外筒９の位置決めリブ２０に当接し、クリック感を得ることができる。
【００２５】
したがって、本発明では、キャップを廻動させることによって、容易に下降させ、下降位置になると音を発生させて位置決めを知らせ、さらに、位置決めリブ２８と位置決めリブ２０との当接によって、キャップＣが最下降位置にきたことを知ることができる。
【００２６】
内容物の注出にあたっては、上蓋Ｃ３を開くと栓体３９が注出孔３０を開放し、内容液を注出することができる。
【００２７】
前記実施例では、固定板１３によって隔壁１１を変形させ、反撥時に音を発生するようにしたが、固定板を薄肉とし、固定板を変形させて音を発生するようにしてもよい。
この場合は、連結部１０が切裂かれ、隔壁１１の切断部分が広がり、垂れ下がり部が形成されるまでの間に、まず固定板１３ｂは、隔壁１１の垂れ下がり部が通過するときに広げられ、通過後に、拡張力が解かれるので、縮小反転して音が発生する。
また、固定板１３ａは、垂れ下がった隔壁によって、外方に広げられ音を発生する。
したがって、前記実施例と同様の作用効果を得ることができる。
【産業上の利用可能性】
【００２８】
本発明は、中栓に内筒下端に固定板を設け、隔壁の開封に時に、音を発生させるとともに、キャップを位置決めするようにしたので、内容物の種類を問わず、ねじキャップの位置決め機構として広く利用できる。
【図面の簡単な説明】
【００２９】
【図１】本発明の密封キャップを被嵌した容器の断面立面図である。
【図２】キャップと中栓の分解断面立面図である。
【図３】中栓の開封開始直前の状態を示す断面立面図である。
【図４】キャップが最下降位置にある状態の断面立面図である。
【符号の説明】
【００３０】
Ａ          容器
Ｂ          中栓
Ｃ          キャップ
Ｃ１        キャップ本体
Ｃ２        ヒンジ機構
Ｃ３        上蓋
Ｄ          スペーサリング
１          口筒部
２          肩部
３          胴部
４、１８    係合突条
５          ネックリング
６、２０、２８  位置決めリブ
７          内筒
８、２６    上壁
９          外筒
１０        連結部
１１        隔壁
１２        先端
１３ａ，ｂ  固定板
１４、３４  膨出部
１５        上部筒部
１６        下部筒部
１７、２７  ねじ
１９        廻り止めリブ
２１        フランジ
２５、３８  側周壁
３０        注出孔
３１        注出筒
３２        切込み刃
３２ａ      最下点
３３        切断リング
３５        蝶番
３７        頂壁
３９        栓体
【図１】
2008162668.tif 000003
【図２】
2008162668.tif 000004
【図３】
2008162668.tif 000005
【図４】
2008162668.tif 000006